(57)【要約】【課題】プレゼンターに煩雑さを感じさせることなく、コンテンツ内容データの分割を確実に実行できる資料提示装置を提供する。【解決手段】資料提示装置１００では、条件入力部（操作部４）より、コンテンツ内容データを分割すべき分割タイミング条件が入力されると、分割部（分割制御部７及び画像処理部６）が、入力された分割タイミング条件に基づいてコンテンツ内容データを分割し、分割後のコンテンツ内容データは、分割データ記憶部（画像記憶部１３）に記憶されるとともに、分割データ出力部（音声出力部８及びディスプレイ９）より出力される。このようにコンテンツ内容データの分割が自動的に且つ確実に実行されるため、プレゼンターが分割の指示のことを考えながらプレゼンテーションを行う必要が無くなり、プレゼンターに煩雑さを感じさせることを防止することができる。【選択図】図１
2007322668.tif 000002
【特許請求の範囲】
【請求項１】
プレゼンテーション用資料の画像データ及びプレゼンターの音声データを含むコンテンツ内容データを分割すべき分割タイミング条件を入力するための条件入力部と、
入力された分割タイミング条件に基づいて、前記コンテンツ内容データを分割する分割部と、
分割後のコンテンツ内容データを記憶する分割データ記憶部と、
分割後のコンテンツ内容データを出力する分割データ出力部と、
を備えた資料提示装置。
【請求項２】
前記コンテンツ内容データは、
プレゼンテーション実行時に、プレゼンターにより提示されたプレゼンテーション用資料のデータ、プレゼンターにより発せられた音声データ、及びプレゼンターにより提示画像に加えられたポインタデータを含んで構成されたことを特徴とする請求項１記載の資料提示装置。
【請求項３】
前記コンテンツ内容データは、
過去のプレゼンテーション実行時に記憶された、プレゼンターにより提示されたプレゼンテーション用資料のデータ、プレゼンターにより発せられた音声データ、及びプレゼンターにより提示画像に加えられたポインタデータを含んで構成され、
前記分割部は、
前記プレゼンテーション実行時に記憶された、当該プレゼンテーション開始からの経過時間に対応付けられた前記プレゼンテーション用資料の所定の区切れ目を示す区切れ目情報に基づいて、前記コンテンツ内容データを分割する
ことを特徴とする請求項１記載の資料提示装置。
【請求項４】
前記分割タイミングの条件は、
所定時間おきのタイミング、無音状態が所定時間継続したタイミング、プレゼンターにより提示されたプレゼンテーション用資料が所定の区切れ目に達したタイミング、及び前記コンテンツ内容データの入力ソースが切り替わったタイミング、のうち１つ、又は２つ以上の組合せであることを特徴とすることを特徴とする請求項１〜３のいずれか１項に記載の資料提示装置。
【発明の詳細な説明】
【技術分野】
【０００１】
本発明は、講習会や会議等においてプレゼンテーション用資料等を参加者に提示するための資料提示装置に関する。
【背景技術】
【０００２】
従来より、講習会や会議等においてプレゼンテーション用資料等を多数の参加者に提示するための資料提示装置が提案されている。この資料提示装置には、プレゼンテーション用資料等の提示画像やプレゼンターの音声を含むコンテンツ内容データをプレゼンターによる手動の指示によりリアルタイムで分割することを可能とし、コンテンツ内容データの分割を簡易化するものがあった（下記の特許文献１参照）。
【特許文献１】特願２００５−０４０８６５号
【発明の開示】
【発明が解決しようとする課題】
【０００３】
しかしながら、上記技術では、プレゼンターがプレゼンテーションの区切れ目の適当なタイミングにて手動で分割を指示する必要があった。このため、プレゼンターは、分割の指示のことを考えながら、プレゼンテーションを行う必要があり、プレゼンテーションに集中するのが困難で、煩雑さを感じることがあった。また、プレゼンターが、プレゼンテーションに集中するあまり、プレゼンテーション中の適当なタイミングで分割を指示し忘れてしまうおそれもあった。
【０００４】
そこで、本発明は、プレゼンターに煩雑さを感じさせることなく、コンテンツ内容データの分割を確実に実行することができる資料提示装置を提供することを目的とする。
【課題を解決するための手段】
【０００５】
上記目的を達成するために、本発明に係る資料提示装置は、プレゼンテーション用資料の画像データ及びプレゼンターの音声データを含むコンテンツ内容データを分割すべき分割タイミング条件を入力するための条件入力部と、入力された分割タイミング条件に基づいて、前記コンテンツ内容データを分割する分割部と、分割後のコンテンツ内容データを記憶する分割データ記憶部と、分割後のコンテンツ内容データを出力する分割データ出力部と、を備えたことを特徴とする。
【０００６】
本発明に係る資料提示装置では、条件入力部より、コンテンツ内容データを分割すべき分割タイミング条件が入力されると、分割部が、入力された分割タイミング条件に基づいてコンテンツ内容データを分割し、分割後のコンテンツ内容データは、分割データ記憶部に記憶されるとともに、分割データ出力部より出力される。このようにコンテンツ内容データの分割が自動的に且つ確実に実行されるため、プレゼンターが分割の指示のことを考えながらプレゼンテーションを行う必要が無くなり、プレゼンターに煩雑さを感じさせることを防止することができる。
【０００７】
上記のコンテンツ内容データは、プレゼンテーション実行時のリアルタイムデータであってもよい。即ち、コンテンツ内容データは、プレゼンテーション実行時に、プレゼンターにより提示されたプレゼンテーション用資料のデータ、プレゼンターにより発せられた音声データ、及びプレゼンターにより提示画像に加えられたポインタデータを含んで構成することができる。
【０００８】
また、上記のコンテンツ内容データは、過去のプレゼンテーション実行時に記憶された、プレゼンターにより提示されたプレゼンテーション用資料のデータ、プレゼンターにより発せられた音声データ、及びプレゼンターにより提示画像に加えられたポインタデータを含んで構成され、分割部は、上記プレゼンテーション実行時に記憶された、当該プレゼンテーション開始からの経過時間に対応付けられたプレゼンテーション用資料の所定の区切れ目を示す区切れ目情報に基づいて、コンテンツ内容データを分割する構成とすることができる。
【０００９】
なお、分割タイミングの条件としては、所定時間おきのタイミング、無音状態が所定時間継続したタイミング、プレゼンターにより提示されたプレゼンテーション用資料が所定の区切れ目に達したタイミング、及びコンテンツ内容データの入力ソースが切り替わったタイミング、のうち１つ、又は２つ以上の組合せを採用することができる。
【発明の効果】
【００１０】
以上説明した本発明に係る資料提示装置によれば、コンテンツ内容データの分割が自動的に且つ確実に実行することができ、プレゼンターが分割の指示のことを考えながらプレゼンテーションを行う必要が無くなりプレゼンターに煩雑さを感じさせることを防止することができる。
【発明を実施するための最良の形態】
【００１１】
以下、添付図面を参照しながら本発明の好適な実施形態を説明する。なお、図面の説明において同一要素には同一符号を付し、重複する説明を省略する。
【００１２】
本発明の実施形態である資料提示装置の構成について、図１及び図２を用いて説明する。図１は、本実施形態に係る資料提示装置１００のブロック構成図であり、図２は、資料提示装置１００とプロジェクタ２００とを接続し撮像情報をスクリーン２１０に映し出す様子を示した図である。なお、資料提示装置１００は、例えば講習会や会議等においてプレゼンテーション用資料等を参加者に提示するための装置である。
【００１３】
資料提示装置１００は、機能的な構成要素として大きく分けて、カメラ１、外部入力部２、再生部３、操作部４、切替部５、画像処理部６、分割制御部７、音声出力部８、ディスプレイ９、画像圧縮部１０、録画制御部１１、画像復元部１２、画像記憶部１３、及び外部出力部１４を備えている。
【００１４】
カメラ１は、プレゼンテーション用資料等を撮像するカメラである。カメラ１は、資料提示装置１００本体と、図２に示す複数のカメラアーム１Ａ、１Ｂを介して接続されている。このカメラ１は、資料提示装置１００を使用するプレゼンターが発した音声を収録するためのマイク（不図示）を内蔵しており、プレゼンテーション用資料等の提示画像やプレゼンターの音声を含むデータ（以下「コンテンツ内容データ」という）を収録可能とされている。カメラ１による撮像で得られたコンテンツ内容データは、切替部５に送信される。
【００１５】
外部入力部２は、外部の装置から資料提示装置１００へコンテンツ内容データが入力される部分であり、例えばＵＳＢ端子やＲＧＢ入力端子等を含んで構成される。外部入力部２から入力されたコンテンツ内容データは、切替部５に送信される。
【００１６】
再生部３は、資料提示装置１００に既に記憶されたコンテンツ内容データを再生する部分である。再生部３により再生されるコンテンツ内容データは、切替部５に送信される。
【００１７】
操作部４は、資料提示装置１００を使用するプレゼンター等が資料提示装置１００に所望の処理や動作を指示するためのものであり、例えば、リモコンやタッチパネル等が該当する。上記のタッチパネルとは、ディスプレイ９の表面に取り付けられた指示入力のためのパネルであり、感圧式や静電式のものを採用することができる。資料提示装置１００の利用者は、装置に付属の入力用ペンを用いてタッチパネルに触れたり、指で直接タッチパネルに触れたりすることによって、指示入力が可能とされている。上記のように入力された指示は、分割制御部７及び切替部５に送信される。また、操作部４は、提示されたプレゼンテーション用資料の画像上にプレゼンターが操作部４によって任意に情報を書き込むことが可能とされており、例えば、プレゼンターは講義中にプレゼンテーション用資料の重要な部分に下線を付したり、「重要」といった言葉を書き込むことが可能とされている。上記のようにプレゼンターが操作部４によりプレゼンテーション用資料の画像上に書き込んだ情報は、画像処理部６に送信される。
【００１８】
切替部５は、操作部４より入力された指示に基づき、コンテンツ内容データの入力ソースを、カメラ１、外部入力部２及び再生部３のうち１つに切り替え、切替対象の入力ソースからのコンテンツ内容データを画像処理部６へ送信する部分である。
【００１９】
画像処理部６は、画像の拡大や縮小等を含む画像処理や、上述したようにプレゼンターが操作部４によりプレゼンテーション用資料の画像上に書き込んだ情報を当該プレゼンテーション用資料の画像に重畳してコンテンツ内容データを作成するといった画像処理を行う部分である。また、画像処理部６は、分割制御部７からの指示に基づいてコンテンツ内容データを新たなファイルに分割するといった処理も行う。
【００２０】
分割制御部７は、後述するコンテンツ内容データの分割処理を制御する部分である。音声出力部８は、コンテンツ内容データを音声出力する部分であり、ディスプレイ９は、コンテンツ内容データを映像出力する部分である。
【００２１】
画像圧縮部１０は、コンテンツ内容データに対し画像圧縮処理を行う部分であり、画像記憶部１３は、コンテンツ内容データを記憶する記憶部であり、画像復元部１２は、圧縮されたコンテンツ内容データに対し画像復元処理を行う部分である。録画制御部１１は、分割制御部７と連携しながら、画像圧縮部１０、画像記憶部１３及び画像復元部１２の動作を制御する部分である。
【００２２】
外部出力部１４は、資料提示装置１００から外部の装置（例えば図２のプロジェクタ２００等）へコンテンツ内容データが出力される部分であり、例えばＵＳＢ端子やＲＧＢ入力端子等を含んで構成される。
【００２３】
上記のうち分割制御部７及び録画制御部１１は、例えばＣＰＵ、ＲＯＭ、ＲＡＭを含む小型コンピュータにより構成することができ、画像記憶部１３は、ハードディスク等の不揮発性メモリにより構成することができる。
【００２４】
上記の画像処理部６による処理後のコンテンツ内容データは、ディスプレイ９及び音声出力部８に送信され、ディスプレイ９に表示されるとともに音声出力部８から音声出力される。また、画像処理部６による処理後のコンテンツ内容データは、画像圧縮部１０に送信され、録画制御部１１による制御の下、画像圧縮部１０により画像圧縮処理が施され、画像圧縮処理後のコンテンツ内容データは画像記憶部１３に記憶される。画像記憶部１３に記憶されたコンテンツ内容データは、画像復元部１２により画像復元処理が施され、復元後のコンテンツ内容データは、再生部３により再生されるか、又は、画像処理部６へ送信され新たな画像処理が施される。
【００２５】
次に、本発明の実施形態である資料提示装置１００の処理動作について、図３〜図６を用いて説明する。図３は、資料提示装置１００における一連の処理動作を示す図である。この図３に示すように、まず資料提示装置１００では、分割制御部７は、操作部４から入力された分割タイミング条件を取り込み、記憶する（ステップＳ１）。
【００２６】
ここでは、例えば、図４に示す分割タイミング条件の選択メニューをディスプレイ９に表示し、選択メニューにて選択された分割タイミング条件を操作部４（ここではディスプレイ９表面のタッチパネル）から入力するよう構成することができる。
【００２７】
分割タイミング条件の選択肢としては、例えば、一定時間経過時、所定時間継続した無音状態が検出された時、プレゼンテーション用資料のページ更新時、コンテンツ内容データの入力ソースが切り替わった時などが挙げられ、図４に示すように、複数の条件を同時に選択しそれらの組合せを条件としてもよい。例えば、図４の選択メニューでは「一定時間経過時」が選択され、その一定時間を選択するプルダウンメニュー（即ち、２分、５分、１０分、３０分、６０分の中から選択するメニュー）から１０分が選択されている。また、図４の選択メニューでは「無音検出時（所定時間継続した無音状態が検出された時）」が選択され、その無音継続時間を選択するプルダウンメニュー（即ち、１５秒、３０秒、４５秒、６０秒の中から選択するメニュー）から３０秒が選択されている。以上により、図４の選択メニューでは「１０分経過した時、および、３０秒継続した無音状態が検出された時に、コンテンツ内容データを分割する」という分割タイミング条件が選択されたこととなる。なお、上記での「１０分経過した時」という条件に代わり、「１０分以上経過した時」という条件を採用してもよく、また、複数の条件が選択された場合に、それら選択された複数の条件の全てが満たされた場合に分割を行うよう構成してもよい。この構成では、例えば「１０分以上経過した時」と「３０秒継続した無音状態が検出された時」の両方が選択された場合、１０分以上経過し且つ３０秒継続した無音状態が検出された時に、コンテンツ内容データを分割することとなる。また、単独で「１０分以上経過した時」が選択された場合、結果的には、１０分経過した時に、コンテンツ内容データを分割することとなる。
【００２８】
図３に戻り、次のステップＳ２では、操作部４からの指示に基づいて切替部５はコンテンツ内容データの入力ソースを、カメラ１、外部入力部２及び再生部３のうち１つに切り替え、画像処理部６は、切り替えられた入力ソースからのコンテンツ内容データを取り込む（ステップＳ２）。このとき画像処理部６は、プレゼンターが操作部４により書き込んだ情報（例えば、丸や三角などの手書き図形、下線、「重要」などの文字）も取り込む。
【００２９】
次のステップＳ３では、分割制御部７は、当該時点で分割タイミング条件が充足されているか否かを判断する。
【００３０】
ここで、当該時点で分割タイミング条件が充足されていないと判断されれば、コンテンツ内容データの分割は行わず、ステップＳ５にて、コンテンツ内容データを従前と同じファイルに追加的に記憶する。
【００３１】
一方、当該時点で分割タイミング条件が充足されていると判断されれば、ステップＳ４にて、コンテンツ内容データの分割を行う。即ち、コンテンツ内容データを別ファイルで記憶開始する。
【００３２】
その後、分割制御部７は、未処理のコンテンツ内容データが終了したか否かを判断し（ステップＳ６）、コンテンツ内容データが未だ存在すれば、ステップＳ２〜Ｓ６を繰り返し実行する。このようにして、分割タイミング条件が充足された時にコンテンツ内容データが分割されることとなり、図５に示すように例えば、第１部〜第３部の３部構成のコンテンツ内容データＡは、第１部のみのコンテンツ内容データＡ１と、第２部のみのコンテンツ内容データＡ２と、第３部のみのコンテンツ内容データＡ３とに分割されることとなる。
【００３３】
未処理のコンテンツ内容データが終了すれば、ステップＳ６で肯定判断され、図３の処理を終了する。
【００３４】
なお、図３の処理は、過去のプレゼンテーション実行時に既に記憶されたコンテンツ内容データについても処理可能である。ただし、この場合、図６に示すように、コンテンツ内容データＢは、過去のプレゼンテーション実行時に記憶された、プレゼンターにより提示されたプレゼンテーション用資料のデータ、プレゼンターにより発せられた音声データ、及びプレゼンターにより提示画像に加えられたポインタデータを含んで構成され、分割制御部７は、上記プレゼンテーション実行時に記憶された、当該プレゼンテーション開始からの経過時間に対応付けられたプレゼンテーション用資料の所定の区切れ目を示す区切れ目情報に基づいて、コンテンツ内容データＢを分割する構成とすることができる。例えば、第１ページ〜第３ページの計３ページから成るコンテンツ内容データＢについては、図３の処理によって、プレゼンテーション開始からの経過時間が、区切れ目情報に示す経過時間になったときに分割処理が行われ、コンテンツ内容データＢは、第１ページのコンテンツ内容データＢ１と、第２ページのコンテンツ内容データＢ２と、第３ページのコンテンツ内容データＢ３とに分割されることとなる。
【００３５】
以上説明した実施形態によれば、予め入力された分割タイミング条件に基づいてコンテンツ内容データが自動的に分割され、分割後のコンテンツ内容データは、分割データ記憶部に記憶されるとともに、分割データ出力部より出力される。このようにコンテンツ内容データの分割が自動的に且つ確実に実行され、プレゼンターが分割の指示のことを考えながらプレゼンテーションを行う必要が無くなり、プレゼンターに煩雑さを感じさせることを防止することができる。
【００３６】
また、分割処理の対象となるコンテンツ内容データとしては、講習会や会議等のプレゼンテーションの場面においてリアルタイムで収録されるいわゆるライブのデータであってもよいし、過去のプレゼンテーション実行時に記憶されたデータであってもよい。
【図面の簡単な説明】
【００３７】
【図１】本実施形態に係る資料提示装置のブロック構成図である。
【図２】資料提示装置とプロジェクタとを接続した概略構成図である。
【図３】資料提示装置による処理動作を示す流れ図である。
【図４】分割タイミング条件の入力画面例を示す図である。
【図５】分割処理の概要を説明するための図である。
【図６】プレゼンテーション用資料の区切れ目がプレゼンテーション開始からの経過時間に対応付けて記録されたコンテンツ内容データを説明するための図である。
【符号の説明】
【００３８】
１…カメラ、１Ａ、１Ｂ…カメラアーム、２…外部入力部、３…再生部、４…操作部、５…切替部、６…画像処理部、７…分割制御部、８…音声出力部、９…ディスプレイ、１０…画像圧縮部、１１…録画制御部、１２…画像復元部、１３…画像記憶部、１４…外部出力部、１００…資料提示装置、２００…プロジェクタ、２１０…スクリーン。
【図１】
2007322668.tif 000003
【図２】
2007322668.tif 000004
【図３】
2007322668.tif 000005
【図４】
2007322668.tif 000006
【図５】
2007322668.tif 000007
【図６】
2007322668.tif 000008